(57)【要約】      （修正有）【課題】軽量かつコンパクトで、観客の視界を遮ることなく、取り扱い・保管が簡単であり、マイクスタンドのブームにも直付けでき、複数枚の楽譜を曲順に重ねて、野外でも風に飛ばされるにくく、しっかりと保持できる譜面台を提供する。【解決手段】譜面台１は、マイクスタンドの直立支柱および角度付けブームのいずれにも、直付けできる、１対のジョー２Ａ，２Ｂをばね負荷連結したクリップ２と、クリップ２にアームを介することなく取り付ける譜面保持ボード手段３とを設ける。譜面保持ボード手段３には、表側に起立フランジ３Ａを有し、裏側にクリップ２のアングルプレート４Ｂを取り付けるコの字状ブラケット５を設けた本体ボード３Ｂと、本体ボードの表面にスペーサ６を介してポケット６Ａを生ずるよう取り付けた譜面載置ボード７とを設ける。譜面保持ボード手段３の表側には、譜面上端縁近傍に開けた孔に突入するピン８を設ける。【選択図】図１
0003132020.tif 000002
【実用新案登録請求の範囲】
【請求項１】
譜面を保持する譜面台において、
マイクスタンドの直立支柱またはこの直立支柱に設ける角度付けブームに、直付けするため、１対のジョーをばね負荷連結したクリップ手段であって、前記ジョーの一方にアングル片を固着した該クリップ手段と、
前記クリップ手段の前記アングル片に取り付け、譜面を保持できる譜面保持ボード手段と
よりなることを特徴とする譜面台。
【請求項２】
前記譜面保持ボード手段を、前面側に譜面下端縁を支持し得る起立フランジを有し、裏面に前記クリップ手段の前記アングル片を取り付ける本体ボードと、この本体ボードの表面にスペーサを介して取り付け、前面に譜面を直接載置する譜面載置ボードと、この譜面載置ボードと前記本体ボードとの間に生ずる隙間を利用した譜面収容ポケットと、前記譜面載置ボードの前面に設けた譜面保持手段とにより構成した請求項１記載の譜面台。
【請求項３】
前記譜面保持ボード手段は、前記クリップ手段の前記アングル片に着脱可能に連結するアングル片取付手段を有する構成とした請求項１または２記載の譜面台。
【請求項４】
譜面保持手段として、譜面を載置するボードの前面に突設し、譜面上端縁近傍に開けた孔に突入する少なくとも１個のピンを設けた請求項１〜３のうちいずれか一項記載の譜面台。
【請求項５】
前記クリップ手段を、直立支柱用の角度をなしてジョーの側方に突出する直立支柱用アングル片を固着した第１のタイプのクリップと、ブーム用角度をなしてジョーの側方に突出するブーム用アングル片を固着した第２のタイプのクリップとの２種類のクリップにより構成した請求項１〜４のうちいずれか一項に記載の譜面台。
【請求項６】
前記譜面保持ボード手段を、Ａ４からＢ６サイズまでの寸法とした請求項１〜５のうちいずれか一項に記載の譜面台。
【考案の詳細な説明】
【技術分野】
【０００１】
譜面を保持する譜面台に関する。
【背景技術】
【０００２】
このような譜面台としては、展開可能な譜面載置部を上部に設けた伸縮自在の直立支柱を有する折り畳み可能三脚スタンド式譜面台がある。（例えば、特許文献１参照。）
【特許文献１】実用新案登録第３１００２６４号公報
【０００３】
さらに、マイクスタンドの直立部にクランプする側方張り出しアームを介して譜面載置部有する譜面台もある。（例えば、非特許文献１参照。）
【非特許文献１】スタンド取り付け型譜面台 "KIKUTANI MEB"、[Online] 、[平成１９年２月１日検索]、インターネット＜URL＼http://item.rakuten.co.jp/chuya-online/5083＞
【考案の開示】
【考案が解決しようとする課題】
【０００４】
しかし、特許文献１に記載のような、折り畳み可能三脚スタンド式譜面台は、重量があり、使用時の展開、伸展、角度調整するための作業、不使用時にはその逆の作業を必要とするため、取り扱いが面倒であった。
さらに、マイクスタンドの脇に別途展開するため、ステージで演奏するミュージシャン（達）を見る観客の視界を遮ることになる。
【０００５】
非特許文献１に記載の譜面台は、クランプ部分を有して横に側方張り出しアームに譜面載置部を装着する重い重量であるため、マイクスタンドの直立支柱に角度を付けて調整したマイクを保持するブームに装着すると、調整した角度を維持することができず、垂れ下がることになり、ブームマイクスタンドの直立支柱にしか適用できなかった。
また、マイクスタンドに固定するクランプ部分からアームを介して側方に離れた位置に譜面載置部を設ける構造であるため、やはり、ステージで演奏するミュージシャン（達）を見る観客の視界を遮ることになる。
【０００６】
さらに、特許文献１および非特許文献１に記載のような従来の譜面台は、単に譜面台に載置するだけのものであるため、野外で使用するとき、風で飛ばされる恐れがある。
【０００７】
したがって、本考案の課題は、軽量かつコンパクトで、観客の視界を遮ることなく、取り扱い・保管が簡単であり、マイクスタンドのブームにも直付けでき、少々の風では飛ばされることのない譜面台を得るにある。
【課題を解決するための手段】
【０００８】
この課題を達成するため、本考案譜面台は、マイクスタンドの直立支柱またはこの直立支柱に設ける角度付けブームに、直付けするため、１対のジョーをばね負荷連結したクリップ手段であって、前記ジョーの一方にアングル片を固着した該クリップ手段と、
前記クリップ手段の前記アングル片に取り付け、譜面を保持できる譜面保持ボード手段と
よりなることを特徴とする。
【考案の効果】
【０００９】
本考案譜面台によれば、譜面保持ボード手段に取り付けたクリップ手段を、マイクスタンドの直立支柱、またはこの直立支柱に設ける角度付けブームのいずれかに、アームを介することなく、直付けでき、軽量かつコンパクトであり、取り扱いが簡単となる。
さらに、クリップ手段の下端縁は、譜面保持ボード手段の下端縁とともに、自立面を画定できるため、卓上用譜面台としても使用できる。
【考案を実施するための最良の形態】
【００１０】
本考案の好適な実施の形態においては、譜面保持ボード手段を、前面側に譜面下端縁を支持し得る起立フランジを有し、裏面に前記クリップ手段の前記アングル片を取り付ける本体ボードと、この本体ボードの表面にスペーサを介して取り付け、前面に譜面を直接載置する譜面載置ボードと、この譜面載置ボードと前記本体ボードとの間に生ずる隙間を利用した譜面収容ポケットと、前記譜面載置ボードの前面に設けた譜面保持手段とにより構成する。
この構成によれば、譜面保持手段によって譜面が風に飛ばされにくくなり、また、演奏が終わった譜面を一括してポケットに収納する譜面収納具としても利用でき、取り扱いが一層簡単になる。
譜面保持手段として、譜面載置ボードに突設し、譜面上端縁近傍に開けた孔に突入する少なくとも１個のピンにより構成するか、またはバインダクリップにより構成することができる。また、ピンは、ストレート形ピンまたは、Ｌ字フック形のピンとすることができる。
【００１１】
本考案の他の好適な実施の形態においては、譜面保持ボード手段は、前記クリップ手段の前記アングル片に着脱可能に連結するアングル片取付手段を有する構成とする。
アングル片取付手段は、例えば、譜面保持ボード手段の裏面の下方部分に固着したコの字状ブラケットにより構成するか、または譜面保持ボード手段の下端縁に設けたスロットにより構成するか、または本譜面保持ボード手段の下端縁の近傍に設けたバインダクリップ等、アングル片を固定できる任意の手段により構成することができる。
これら実施の形態によれば、クリップに対して譜面保持ボード手段を着脱できるため、クリップをマイクスタンドの直立支柱またはブームに取り付けた後、譜面保持ボード手段は着脱自在となるため、取り扱い、保管が簡単、便利となる。
【００１２】
さらに、本考案の他の好適な実施の形態においては、クリップ手段を、直立支柱用の角度をなしてジョーの側方に突出する直立支柱用アングル片を固着した第１のタイプのクリップと、ブーム用角度をなしてジョーの側方に突出するブーム用アングル片を固着した第２のタイプのクリップとの２種類のクリップにより構成する。
クリップ手段を譜面保持ボード手段に着脱自在にする構成ではなく、予め固着する実施の形態では、直立支柱用およびブーム用の２タイプの譜面台を用意する。
【００１３】
本考案譜面台においては、譜面保持ボード手段をＡ４〜Ｂ６サイズのものとし、特に、歌詞またはコード進行またはその双方のみ記載した譜面を保持するＢ６サイズ程度の小さい寸法とすると、コンパクトになり好適である。
【００１４】
つぎに、本考案の好適な実施例を図面につき説明する。
【実施例】
【００１５】
図１（ａ）および（ｂ）は、本考案による好適な実施例の譜面台１の背面から見た斜視図を示す。この実施例の譜面台１は、くちばし形のクリップ２と、このクリップ２に取り付ける譜面保持ボード手段３とよりなる。マイクスタンド９（図２参照）の直立支柱１０またはブーム１１に直付けするクリップ２としては、くちばし形の他に、図示の把持部の幅が大きい蛇の目形クリップとすることもできる。クリップ２の先端は、エラストマー材料で被覆する。クリップ２および譜面保持ボード３は、図１（ａ）および（ｂ）に示す実施例のように着脱式ではなく、図１（ｃ）に示すように固定式とすることもできる。
【００１６】
図示のクリップ２は、譜面保持ボード手段３に連結するためのプレート状のアングル片４を、図１（ｂ）の分解図に示すように、クリップ２の一方のジョー２Ａに連結する連結部分４Ａ、およびこの連結部分４Ａから直立支柱用の角度、またはブーム用の角度をなしてジョー２Ａの側方に突出するアングルプレート部４Ｂにより構成する。したがって、クリップ２は、直立支柱用およびブーム用の２タイプのクリップを用意する。
【００１７】
代案として、アングル片４を、図１（ｂ）に点線で示すように、クリップ２の１対のジョーにおける一方のジョー２Ａに連結する連結部分４Ａと、この連結部分から直立支柱用の角度をなしてジョーの一方の側方に突出する直立支柱用アングルプレート部４Ｂと、連結部分４Ａからブーム用角度をなしてジョーの他方の側方に突出するブーム用アングルプレート部４Ｃ（点線で示す）を有するものとして構成し、１種類のクリップだけで済ますこともできる。
【００１８】
さらに、他の代案として、クリップ２を、１対のジョーにおける一方のジョー２Ａに設けた直立支柱用アングルプレート部４Ａと、他方のジョー２Ｂに設けたブーム用アングルプレート部とを有するものとして構成することもできる（図示せず）。
【００１９】
クリップ２のアングル片４に着脱可能にしたまたは予め固定した譜面保持ボード手段３は、図１（ｄ）に示すように、表側に譜面下端縁を支持する起立フランジ３Ａを有する。さらに、クリップ２のアングル片４に着脱可能に連結する実施例の場合、譜面保持ボード手段３に、アングル片取付手段を設ける。このアングル片取付手段は、図１（ａ）および（ｂ）の実施例に示すように、裏面にクリップ２の一方のジョー２Ａに固着したアングル片４を収容するコの字状ブラケット５とすることができる。代案として、図示しないが、アングル片取付手段は、例えば、譜面保持ボード手段３の下端縁に設けたスロット手段により構成するか、または譜面保持ボード手段の下端縁に設けたバインダクリップ等により構成することもできる。
【００２０】
アングル片取付手段を、譜面保持ボード手段３の下端縁に設けたスロット手段により構成する実施例の場合、譜面保持ボード手段３における起立フランジ３Ａの底面に溝孔を設け、この溝孔に差し込んだアングル片がボード面に密着するようにする。
【００２１】
図示の実施例では、譜面保持ボード手段３を、裏面にクリップ２の一方のジョー２Ａに固着したアングル片４を収容するコの字状ブラケット５を有する本体ボード３Ｂと、この本体ボード３Ｂに対してスペーサ６を介して、譜面を直接載置する譜面載置ボード７とにより構成する。代案として、譜面保持ボード手段３は、本体ボード３Ｂのみの構成とすることもできる。
【００２２】
譜面保持ボード手段３を、本体ボード３Ｂと譜面載置ボード７とにより構成する実施例の場合、アングル片４を着脱可能に収容するよう起立フランジ３Ａの底面に設けた溝孔に対応し、アングル片４が通過できる窪みを下部のスペーサ６に設けることができる。
【００２３】
この譜面載置ボード７の表側に設ける譜面保持手段として、譜面上端縁近傍に開けた孔（図示せず）に突入する少なくとも１個のピン８を設ける。このピン８は、図示の実施例のように１個ではなく、左右に各１個として２個設けることもでき、演奏曲順に降順で重ねて譜面を保持することができる。このピン８は、Ｌ字フックとすることもできる。本体ボード３Ａと譜面載置ボード７との間における隙間は、演奏が終わった譜面を一括して収容するポケット６Ａとして使用できる。また、譜面保持手段を、ばね負荷バインダとすることもできるが、ピンのほうが、低コストとなる。
【００２４】
図２に、図１に示す本考案による譜面台１の実施例を、マイク９を保持するマイクスタンド１０の直立支柱１１、およびブーム１２に取り付ける２種類の取付状態を同時に示す使用状況を示す。本考案によれば、軽量なので、ブーム１２に直付けしても、ブームが垂れ下がって調整角度が変動することはない。
【００２５】
譜面保持ボード３は、Ａ４〜Ｂ６サイズの寸法とする。しかし、例えば、歌詞またはコード進行またはその双方のみ記載した小さい譜面だけで済む場合は、Ｂ６サイズのものを使用すると、一層軽量かつコンパクトで、スペースの無駄を省ける。
【産業上の利用可能性】
【００２６】
本考案譜面台は、音楽関連産業、特に、バンド活動におけるマイクを使用するステージ演奏に、使用する。
【図面の簡単な説明】
【００２７】
【図１】本考案による譜面台の実施例を示し、（ａ）は背面からの斜視図、（ｂ）は分解斜視図、（ｃ）は正面側からの斜視図である。
【図２】本考案による譜面台をマイクスタンドに取り付ける２種類の取付状態を同時に示す使用状況の説明図である。
【符号の説明】
【００２８】
１  譜面台
２  クリップ
２Ａ  ジョー（一方）
２Ｂ  ジョー（他方）
３  譜面保持ボード手段
３Ａ  起立フランジ
３Ｂ  本体ボード
４  アングル片
４Ａ  連結部分
４Ｂ  直立支柱用アングルプレート部
４Ｃ  ブーム用アングルプレート部
５  コの字状ブラケット
６  スペーサ
６Ａ  ポケット
７  譜面載置ボード
８  ピン（譜面固定手段）
９  マイクスタンド
１０  マイクスタンドの直立支柱
１１  マイクスタンドのブーム
【図１】
0003132020.tif 000003
【図２】
0003132020.tif 000004